(57)【特許請求の範囲】
【請求項１】
屋根斜面に葺かれた前段の瓦に載置されるとともに、この前段の瓦とその水上側に連ねて葺かれる後段の瓦との間に一部が差し込まれる台座部材と、
この台座部材の上部に固定される固定部、及びこの固定部の水上側に形成され上記後段の瓦の上面部を押える押え部からなる押え部材と、
上記押え部材の固定部の上部に取り付けられる取付部、及びこの取付部の上側に形成され屋根上架台を支持する受け部からなる受部材とを有し、
止着具を用いて上記台座部材、上記押え部材及び上記受部材を一体に締結するとともに、上記後段の瓦を上記台座部材と上記押え部材とで挟持して屋根斜面上に固定し、
上記押え部材の固定部に水上水下向きに長い長孔部を設け、この長孔部に上記止着具を挿通させて、上記台座部材に対する上記押え部材の位置を調節可能としたことを特徴とする屋根上架台の支持具。
【請求項２】
屋根斜面に葺かれた前段の瓦に載置されるとともに、この前段の瓦とその水上側に連ねて葺かれる後段の瓦との間に一部が差し込まれる台座部材と、
この台座部材の上部に固定される固定部、及びこの固定部の水上側に形成され上記後段の瓦の上面部を押える押え部からなる押え部材と、
上記押え部材の固定部の上部に取り付けられる取付部、及びこの取付部の上側に形成され屋根上架台を支持する受け部からなる受部材とを有し、
止着具を用いて上記台座部材、上記押え部材及び上記受部材を一体に締結するとともに、上記後段の瓦を上記台座部材と上記押え部材とで挟持して屋根斜面上に固定し、
長尺状の基体部の水上側に横向きに形成される係止部、及び上記基体部の水下側に形成される連結部からなる一対の係止部材を用い、
上記前段の瓦と上記後段の瓦との間に、上記両係止部材の係止部をそれぞれ横向きに倒して差し込み、さらに上記基体部を回して上記係止部を下方に向けるとともに上記前段の瓦の水上側縁部にそれぞれ係止させる一方、上記両係止部材の連結部同士を上記台座部材の水下側で締結するとともに、上記両係止部材をそれぞれ上記台座部材或いは上記押え部材の両側部に保持させたことを特徴とする屋根上架台の支持具。
【請求項３】
上記押え部材の固定部に水上水下向きに長い長孔部を設け、この長孔部に上記止着具を挿通させて、上記台座部材に対する上記押え部材の位置を調節可能としたことを特徴とする請求項２記載の屋根上架台の支持具。
【請求項４】
上記台座部材の水上側に係止片部を形成し、この係止片部を上記後段の瓦の水下側縁部の裏面に設けられた係止凸部に係止させることを特徴とする請求項１、２又は３記載の屋根上架台の支持具。
【発明の詳細な説明】
【技術分野】
【０００１】
本発明は、屋根上に太陽光発電パネル等を取り付けるための架台を支持する屋根上架台の支持具に関する。
【背景技術】
【０００２】
太陽光発電パネルは、屋根上架台を用いて住宅等の瓦屋根の上部に設置される。
この屋根上架台は、バー材等を組み合せて架台を構成し、この架台を支持具を介して屋根上に固定し、架台の上部に太陽光発電パネルを取り付ける。
【０００３】
例えば特許文献１には、図１２に示すように、瓦屋根板１００に固定するスタンド１０２（支持具）を使用したソーラー屋根板１０４の取付構造の開示がある。
上記スタンド１０２は、瓦屋根板１００の水下側端縁１０６にスタンド１０２の水下側部材１０７の水下係止部１０８を係止し、瓦屋根板１００の水上側端縁１１０に水上側部材１１１の水上係止部１１２を係止しながら、接合部１１４と水上側接合部１１６とを固着具１１８により固着するものである。上記スタンド１０２には、横材１２０を介してガッター材１２２を取り付け、ガッター材１２２間にソーラー屋根板１０４を固定する。
【０００４】
また、特許文献２には屋根上取り付け金具の記載があり、この金具は台座と可動体とからなり、台座には屋根面載置部と屋根面載置部の左右が立ち上げられた立ち上げ部とが形成され、可動体には、上面部と側壁部と屋根材に押圧される押圧部とが形成され、可動体が固定具を介して回動可能に組み合わされたものである。
【先行技術文献】
【特許文献】
【０００５】
【特許文献１】特許第３５６３２５３号公報
【特許文献２】特許第４１４６７０４号公報
【発明の概要】
【発明が解決しようとする課題】
【０００６】
さて、上記特許文献１のスタンド１０２は、瓦屋根板１００の水下側端縁１０６と水上側端縁１１０とにそれぞれ係止して用いる形態であるため、全体に長く、また取付けの際には、瓦屋根板１００を上方に持ち上げ、瓦屋根間にスタンド１０２の水上側部材１１１を水上係止部１１２側より挿入し、瓦屋根板の水上側端縁１１０に係止するものであるため、瓦屋根板１００の持ち上げによる瓦屋根板の破損、或いは葺いた瓦屋根板のずれ等の支障を生じることが懸念され、また施工性も悪いという問題がある。
【０００７】
また、特許文献２の取り付け金具は、可動体を回動させ、屋根材の軒側ハゼ部を挟んでナットで押圧保持する構造であるため、金具が大型となり機構も複雑で加工性、生産性に欠け、施工にも手間取るという問題がある。
【０００８】
本発明は上記問題点を解決するためになされたものであり、屋根瓦に容易かつ迅速に取り付けられて施工性に優れ、また加工が容易で生産性にも優れた屋根上架台の支持具を提供することを目的とする。
【課題を解決するための手段】
【０００９】
以上の技術的課題を解決するため、本発明に係る屋根上架台の支持具は、図１，２等に示すように、屋根斜面に葺かれた前段の瓦４に載置されるとともに、この前段の瓦４とその水上側に連ねて葺かれる後段の瓦６との間に一部が差し込まれる台座部材１０と、この台座部材１０の上部に固定される固定部４２、及びこの固定部４２の水上側に形成され上記後段の瓦６の上面部を押える押え部３８からなる押え部材１２と、上記押え部材１２の固定部４２の上部に取り付けられる取付部４６、及びこの取付部４６の上側に形成され屋根上架台を支持する受け部５０からなる受部材１４とを有し、止着具１６，１７を用いて上記台座部材１０、上記押え部材１２及び上記受部材１４を一体に締結するとともに、上記後段の瓦６を上記台座部材１０と上記押え部材１２とで挟持して屋根斜面上に固定する構成である。
【００１０】
本発明に係る屋根上架台の支持具は、上記台座部材１０の水上側に係止片部３２を形成し、この係止片部３２を上記後段の瓦６の水下側縁部２５の裏面に設けられた係止凸部６８に係止させる構成である。
【００１１】
本発明に係る屋根上架台の支持具は、上記押え部材１２の固定部４２に水上水下向きに長い長孔部４４を設け、この長孔部４４に上記止着具１６，１７を挿通させて、上記台座部材１０に対する上記押え部材１２の位置を調節可能とした構成である。
【００１２】
本発明に係る屋根上架台の支持具は、長尺状の基体部５６の水上側に横向きに形成される係止部５８、及び上記基体部５６の水下側に形成される連結部６０からなる一対の係止部材１８，１９を用い、上記前段の瓦４と上記後段の瓦６との間に、上記両係止部材の係止部５８，５８をそれぞれ横向きに倒して差し込み、さらに上記基体部５６を回して上記係止部５８を下方に向けるとともに上記前段の瓦４の水上側縁部２４にそれぞれ係止させる一方、上記両係止部材の連結部６０，６０同士を上記台座部材１０の水下側で締結するとともに、上記両係止部材１８，１９をそれぞれ上記台座部材１０或いは上記押え部材１２の両側部に保持させた構成である。
【発明の効果】
【００１３】
本発明に係る屋根上架台の支持具によれば、前段の瓦に載置される台座部材、後段の瓦を押える押え部材、及び屋根上架台を支持する受部材を有し、これらを一体に締結するとともに後段の瓦を台座部材と押え部材とで挟持して屋根斜面上に固定する構成を採用したから、屋根斜面に葺かれた瓦に容易かつ迅速に取り付けられて施工性に優れ、また瓦同士の隙間に差し込んで後段の瓦に挟持し保持させる形態であるため、瓦の破損或いは葺いた瓦のずれ等が防止でき、さらには加工が容易で生産性にも優れるという効果を奏する。
【００１４】
本発明に係る屋根上架台の支持具によれば、台座部材に形成した係止片部を後段の瓦の係止凸部に係止させる構成としたから、後段の瓦に保持される支持具が、さらに係止によってより強固に保持されるという効果がある。
【００１５】
本発明に係る屋根上架台の支持具によれば、押え部材に長孔部を設け、台座部材に対する押え部材の位置を調節可能とした構成としたから、後段の瓦に対する押え部材の保持位置の調整が簡単に行えるという効果がある。
【００１６】
本発明に係る屋根上架台の支持具によれば、一対の係止部材の係止部を前段の瓦に係止させ、連結部同士を台座部材の水下側で締結して保持させた構成を採用したから、支持具が前段の瓦にも係止されるため、さらに移動（水下側への）が阻止され、支持具の保持固定がより確実に行え、また係止部材は瓦同士の間の隙間に差し込んで係止させる構成であるため、瓦の破損或いは葺いた瓦のずれ等が防止できるという効果がある。
【図面の簡単な説明】
【００１７】
【図１】本発明の実施の形態に係る屋根上架台の支持具を示す図である。
【図２】本発明の実施の形態に係る屋根上架台の支持具の本体形態を示す図である。
【図３】実施の形態に係る屋根上架台の支持具の分解斜視図である。
【図４】屋根上架台の支持具の係止部材を示す図である。
【図５】屋根上架台の支持具を瓦に取り付ける状態を示す図であり、(ａ)は係止部材の取り付け状態、(ｂ)は支持具の本体の取り付け状態、(ｃ)は支持具の本体に係止部材を取り付ける状態をそれぞれ示す。
【図６】屋根上架台の支持具の係止部材を瓦間に取り付ける状態を示す図である。
【図７】屋根上架台の支持具の一対の係止部材を取り付ける状態を示す図である。
【図８】屋根上架台を支持具に取り付ける状態を示す図であり、（ａ）は分解斜視図を、（ｂ）は断面を示す図である。
【図９】屋根上架台に固定金具を取り付ける状態を示す図である。
【図１０】屋根上架台に太陽光発電パネルを取り付ける状態を示す図（ａ）（ｂ）である。
【図１１】実施の形態に係り、支持具に屋根上架台及び太陽光発電パネルを取り付ける状態を示す図である。
【図１２】従来例に係るソーラー屋根板の取付構造を示す図である。
【発明を実施するための形態】
【００１８】
以下、本発明に係る屋根上架台の支持具の実施の形態を図面に基づいて説明する。
図１は、上記屋根上架台の支持具２を屋根上の瓦に取り付けた状態を示す。
この支持具２は、屋根斜面の水下側に葺かれた前段の瓦４と、この前段の瓦４の水上側に重ねて葺かれた後段の瓦６とにわたって取り付けられる。上記後段の瓦６は、上記前段の瓦４の水上側部位の上部にこの後段の瓦６の水下側部位の一部を重ねて葺いたものである。
【００１９】
上記支持具２は、前段の瓦４の上面部に載置される台座部材１０、後段の瓦６の水下側部位の上面部２２を押える押え部材１２、及び下記屋根上架台１を支持する受部材１４を有している。これら台座部材１０、押え部材１２及び受部材１４は、止着具としてのボルト１６、ナット１７により締結され一体化されている。上記台座部材１０、押え部材１２及び受部材１４は、何れも鋼板加工により製造したものである。
【００２０】
さらに上記支持具２は、台座部材１０の両側に配置され、上記前段の瓦４の水上側縁部２４にそれぞれ係止させる形状の一対の係止部材１８，１９を有している。
これら係止部材１８，１９は、支持具２を屋根上へ保持固定する機能を強化するものである。
【００２１】
したがって上記支持具２は、図２に示す支持具２の本体３となる基本形態と、これに上記係止部材１８，１９を加えて支持具２の屋根上への固定構造を強化した形態とがある。
上記支持具２は、上記基本形態及び補強形態の何れの形態であっても、屋根上架台の支持具としての機能を果すことができる。
以下、屋根上架台の支持具２については、便宜上上記強化した形態を中心に説明する。
【００２２】
図３は上記支持具２の分解斜視図である。
同図に示すように、上記台座部材１０は、基部２６の水下側には台支持部２８がまた水上側には台支持部３０が、それぞれ下方に向けて段状に形成されている。またこの台支持部３０の先端部には、上方に屈曲形成された係止片部３２が設けられている。
上記基部２６及び台支持部２８には、何れも中央部に凸条（水上水下向き）のボス部３４が形成されている。また、基部２６の中央には孔部３６が設けられている。
【００２３】
上記押え部材１２は、中間部に一段上がった立上段部４０が形成された長尺板状材であり、上記立上段部４０の上段の水上側には平坦な押え部３８が形成され、また下段の水下側には固定部４２が形成されている。
【００２４】
上記固定部４２には、水下側寄りの位置に一段下がった段部を経て延長部３９が形成され、また固定部４２の左右部には下方に屈曲したフランジ部４３，４３が形成されている。上記フランジ部４３，４３は、上記台座部材１０の基部２６の左右部位を内部に保持し、台座部材１０と押え部材１２との一体化が図られる。
また、固定部４２から押え部３８の一部にかけて中央部に凸条（水上水下向き）のボス部４１が形成されている。さらに、固定部４２の中央部には水上水下向きに長い長孔部４４が形成され、上記台座部材１０に対する押え部材１２の位置決めが行えるようにしている。
【００２５】
上記受部材１４は板材を断面Ｚ状に屈曲形成した形状であり、下部の取付部４６、この取付部４６の端部から上方に直角に立設形成された立上部４８、及びこの立上部４８の上端部から横向きに形成された平坦な受け部５０からなる。上記取付部４６には、中央部に孔部５４が形成されている。
また、上記立上部４８の中央部から受け部５０にかけて溝状に切り欠かれた第一の溝部５２が形成され、また受け部５０にはこの第一の溝部５２から連続して第二の溝部５３が形成されている。上記第一の溝部５２は、第二の溝部５３よりも溝幅が大きく（略２倍）形成されている。
【００２６】
上記係止部材１８，１９は、２つを一組（一対）として使用するものであり、係止部材１９は係止部材１８とは左右対称な形状である。
図４にも示すように上記係止部材１８は、細長い（断面円形）金属を屈曲等の加工をしたものであり、長尺棒状の基体部５６、この基体部５６の水上側に横向きに形成される係止部５８、及び上記基体部５６の水下側に形成される連結部６０からなる。
【００２７】
上記係止部５８は、基体部５６から直角に屈曲形成され、さらに先部近傍には係止片６６が内向きに屈曲形成されている。また、上記連結部６０は、基体部５６から直角に連結基部６１が屈曲形成され、さらに締結部６２がＬ状（９０°）に屈曲形成された形状である。この締結部６２は、偏平な形状であり中央部には孔部６４が設けられている。
上記係止部５８と上記連結部６０の連結基部６１とがなす角度は、上記基体部５６の軸中心を基準にした場合９０°より大きく（１０°程度）形成されている（ここでは１０１°）。
係止部材１９は、係止部材１８とは左右対称な点を除き、各部の基本的な形状は同様である。係止部材１８，１９は、材料にステンレス鋼（ＳＵＳ）を使用している。
【００２８】
上記前段の瓦４及び後段の瓦６等の屋根瓦は何れも形状は同じであり、偏平な矩形状の屋根瓦である。また、これら瓦４，６等には、水下側縁部２５の裏面に下方に突出した係止凸部６８が形成され、また瓦４，６の裏面中央部には水上水下向きに溝状に窪んだ裏溝部７０が形成されている。
【００２９】
ここで、上記屋根上架台の支持具２の使用形態について説明する。
先ず、葺いた屋根瓦に支持具２を取り付ける手順について説明する。
上記支持具２は、予め台座部材１０、押え部材１２及び受部材１４の順に重ね、下からボルト１６を台座部材１０の孔部３６、押え部材１２の長孔部４４及び受部材１４の孔部５４に挿通させ、上からナット１７を緩く締めて簡単に組立てておく。
【００３０】
支持具２の取り付けに際しては、先に係止部材１８，１９を前段の瓦４と後段の瓦６との間に差し込んでおく。
図５（ａ）に示すように、係止部材１８は係止部５８を横向きにねかせて差し込む。この係止部５８は、横にねかせて差し込めるため、水上側の後段の瓦６を僅かに浮かせて少し隙間を確保する程度で差し込みには十分である。上記係止部材１８の係止部５８は、前段の瓦４の水上側縁部２４を越えた位置まで差し込む。他の係止部材１９についても、同様にして係止部５８を前段の瓦４と後段の瓦６との間に差し込む。
【００３１】
次に図５(ｂ)に示すように、支持具２の本体３を、上記係止部材１８と係止部材１９との間に取り付ける。支持具２の本体３は、その台座部材１０を屋根斜面に葺かれた前段の瓦４の上面部に載置するとともに、台座部材１０を前段の瓦４と後段の瓦６との間に差し込む。これと同時に、押え部材１２の押え部３８を後段の瓦６の水下側縁部２５近傍の上面部に配置する。
【００３２】
上記台座部材１０を差し込む際には、後段の瓦６の裏溝部７０を利用し、この裏溝部７０によって形成された隙間に台座部材１０を差し込む。なお、上記裏溝部７０の無い形状の瓦を後段の瓦に用いる場合には、この瓦と前段の瓦との間の適宜な位置（中央部近傍）に台座部材１０を差し込む。この場合、後段の瓦を少し浮かせて隙間を確保する。
上記支持具２の台座部材１０及び係止部材１８，１９は、瓦同士の僅かな隙間に差し込んで配設することが可能であるため、曲面板状、平板状のどのような形状の瓦（葺いた後）にも取り付けることが可能である。
【００３３】
また図５（ｃ）に示すように、上記台座部材１０を前段の瓦４と後段の瓦６間に差し込んだ際には、この台座部材１０の係止片部３２を、後段の瓦６の裏面に形成された係止凸部６８に係止させる。なお、上記係止片部３２による係止構造により、後段の瓦６に取り付けた支持具２の保持固定が強固になる。
そして、上記台座部材１０に対して、その上部に設けられた押え部材１２を長孔部４４を利用して水上側（或いは水下側）へ移動させ、押え部材１２の立上段部４０を後段の瓦６の水下側縁部２５に当接させる。
【００３４】
この状態で、支持具２のボルト１６に取り付けられたナット１７を締付ける。このボルト１６締めにより、押え部材１２の押え部３８が後段の瓦６の上面部を押圧して台座部材１０との間で後段の瓦６を挟持し、支持具２自体を後段の瓦６に保持固定する。
これにより支持具２（本体３）は、挟持及び係止の両手段によって後段の瓦６に保持固定される。
【００３５】
次に図６に示すように、上記前段の瓦４と後段の瓦６間に差し込んだ係止部材１８を回して（基体部５６を軸にして）係止部５８を下向きにし、これを前段の瓦４の水上側縁部２４に係止させる。この状態で、係止部材１８の締結部６２は上向きとなる。
他の係止部材１９についても、同様にして基体部５６を回して（係止部材１８とは逆向き）係止部５８を前段の瓦４の水上側縁部２４に係止させ、締結部６２を上に向ける。
【００３６】
そして図７に示すように、上記係止部材１８，１９の各締結部６２を、支持具２の本体３の水下側で向い合わせる。このとき、両締結部６２は上方に向き且つ左右に開いた状態となる。さらに、ボルト７２を上記両締結部６２，６２の孔部６４に挿通し反対側からナット７３を締付け、両締結部６２，６２同士を締結し連結する（図５（ｃ））。
【００３７】
これにより、係止部材１８，１９は内向きに少し回って各締結部６２は平行に向き合う状態となる。このとき、各係止部５８，５８はハの字状に開いて各係止部５８，５８がそれぞれ前段の瓦４の水上側縁部２４に係止する。同時に、係止部５８，５８の係止片６６，６６が、それぞれ前段の瓦４の水上側縁部２４の裏溝部７０の両端の角部７１，７１に係合し、係止部材１８，１９が固く前段の瓦４に固定される。
なお、上記裏溝部７０のない瓦を用いた場合には、係止部５８，５８の各係止片６６，６６は、瓦の水上側縁部の裏面部に係合する。
【００３８】
また、上記ボルト７２、ナット７３による両締結部６２，６２同士の締結（連結）により、係止部材１８，１９の各基体部５６，５６は支持具２（本体３）の台座部材１０或いは押え部材１２の左右の側部を挟持する。この係止部材１８，１９による挟持により、係止部材１８，１９が台座部材１０（或いは押え部材１２）と一体化した状態で支持具２の本体３に固定される。
【００３９】
よって上記支持具２は、押え部材１２と台座部材１０による挟持等により後段の瓦６に固定され、さらに上記係止部材１８，１９により前段の瓦４にも係止した状態となって移動（水下側への）が阻止される。これにより支持具２は、後段の瓦６と前段の瓦４の両瓦４，６に保持固定されることになり、支持具２の固定が強固になる。
なお、後段の瓦６のみで支持具２の保持固定が十分な場合には、上記係止部材１８，１９を用いなくても、支持具２の本体３のみを屋根上架台１を支持する支持具として用いることは可能である。
【００４０】
上記支持具２は、屋根上架台１を配置する屋根上に所定の間隔をおいて取り付ける。ここでは、屋根上架台１を形成するレール材７４は、屋根上の水上水下方向（縦方向）に配置されることから、支持具２についても上記レール材７４に沿った位置に所定の間隔をおいて複数取り付ける。
【００４１】
ここで図８（ａ）（ｂ）に基づき、支持具２に屋根上架台１を取り付ける方法について説明する。
上記屋根上架台１は、複数本のレール材７４から構成される。図８（ｂ）に示すように、上記レール材７４は断面略矩形状であり、軽合金の押し出し成形により製造されたものである。このレール材７４の上部には、上側に開口部７６を有する断面Ｃ字状の係合溝部７７が形成され、また下部には下側に開口部７８を有する断面Ｃ字状の係合溝部７９が形成されている。
そして、上記レール材７４を屋根上に複数（縦方向）に配置された支持具２の上部に配置する。
【００４２】
上記レール材７４を支持具２に取り付ける際には、ボルト８０及び内部ナット８１を用いる。この内部ナット８１は、螺孔を有する平行四辺形状の板材であり、上記レール材７４の係合溝部７７内に嵌入可能であり、且つその角部により溝部内での回転は阻止される形状である。
そして、上記ボルト８０（及び内部ナット８１）を用いてレール材７４を支持具２の受部材１４に固定する。ここで、受部材１４の第一の溝部５２は上記ボルト８０の頭部が通過可能な大きさに形成され、また第二の溝部５３はボルト８０の軸部が通過可能（ボルト８０の頭部は通過不可）な大きさに形成されている。
【００４３】
さて図８(ａ)に示すように、上記内部ナット８１は予めボルト８０に螺着しておき、この内部ナット８１を上記支持具２の上部に配置したレール材７４の係合溝部７９に嵌め込む。そして、ボルト８０を内部ナット８１（係合溝部７９内を摺動）とともに移動させ、このボルト８０の頭部を受部材１４の第一の溝部５２を通過させ、さらにボルト８０の軸部を第二の溝部５３の端部位置まで移動させる。これで、ボルト８０の頭部が受部材１４の受け部５０の下部に位置する。
【００４４】
ここで、工具を用いてボルト８０を締め付け、支持具２の受部材１４にレール材７４を固定する。他の支持具２についても、同様にボルト８０及び内部ナット８１を用いてレール材７４を固定する。
また他のレール材７４についても、同様にして支持具２に固定する。各レール材７４は、水下側端部をそろえて設置する。このように、ボルト８０及び内部ナット８１を用いることで、支持具２へのレール材７４の取り付けが容易に行える。
【００４５】
なお、ここでは屋根上架台１は２本或いは３本以上の縦向きのレール材７４からなる形態としているが、他に屋根上架台１として、さらに横向きにもレール材７４を配置し、矩形形状にレール材７４を配置した屋根上架台の形態を採用することも可能である。この場合には、上記支持具２を縦方向及び横方向の列に沿って配置する。これら支持具２についても、上記ボルト８０及び内部ナット８１を用いることで容易にレール材７４を取り付けることができる。
【００４６】
図９に示すように、上記屋根上架台１の上部には、固定金具８４を用いて太陽光発電パネル８を取り付ける。太陽光発電パネル８は、偏平な矩形状の形態である。
上記固定金具８４は、平坦な固定部８６の両側から側壁部８８，８８が立設形成され、これらの上部からそれぞれ外向きに翼部９０，９０が形成された断面ハット状の形状である。上記固定部８６には、中央部に孔部８７が設けられている。また、各翼部９０の先部には、内側に折曲した係合部９２が形成されている。
【００４７】
上記固定金具８４は、上記ボルト８０及び内部ナット８１を用いてレール材７４の水下側端部の上部に固定する。まず、固定金具８４の固定部８６の孔部８７にワッシャ９３を介してボルト８０を挿通し、このボルト８０の先に緩く内部ナット８１を螺着する。そして、固定金具８４をレール材７４の端部近傍に配置するとともに、上記内部ナット８１をレール材７４の係合溝部７７に嵌入し、工具を用いてボルト８０を締付ける。これにより、レール材７４の端部に固定金具８４が固定される。他のレール材７４についても、同様にして固定金具８４を取り付ける。
【００４８】
そして図１０（ａ）（ｂ）に示すように、屋根上架台１のレール材７４間に太陽光発電パネル８を少し傾斜させて配置し、その水下側の縁部９を上記取り付けた固定金具８４の翼部９０の係合部９２に係合させた状態のまま倒してレール材７４の上部に載置する。これにより、太陽光発電パネル８の縁部９が固定金具８４によって保持固定される。
【００４９】
図１１は、支持具２に屋根上架台１および太陽光発電パネル８などを取り付けた状態を示す図である。
このように太陽光発電パネル８の水上側の縁部についても、上記固定金具８４を用いてレール材７４の上部に固定する。この場合、固定金具８４の係合部９２を太陽光発電パネル８の水上側縁部に係合させ、この状態でボルト８０を締める。
【００５０】
なお、上記固定金具８４は両側に翼部９０，９０及び係合部９２，９２が形成されているため、上記太陽光発電パネル８の水上側には、固定金具８４の水上側の翼部９０及び係合部９２を利用して、連続的に他の太陽光発電パネル８の水下側の縁部９を保持固定することができる。
最後に、軒下カバー９４、軒下木口フタ９５、目地カバー９６、目地木口フタ９７、レール材の木口フタ９８等を取り付ける。
【００５１】
従って、上記実施の形態によれば、屋根瓦に容易かつ迅速に取り付けられて施工性に優れ、また瓦同士の間の隙間に差し込んで保持させ、或いは係止させる形態であり、せいぜい瓦を少し浮かせる程度で済むため、瓦を持ち上げる必要がないため瓦の破損或いは葺いた瓦のずれ等が防止でき、さらには加工が容易で生産性にも優れるという効果がある。
【符号の説明】
【００５２】
２  支持具
４  前段の瓦
６  後段の瓦
１０  台座部材
１２  押え部材
１４  受部材
１６，１７  止着具（ボルト、ナット）
１８，１９  係止部材
２４  水上側縁部
２５  水下側縁部
３２  係止片部
３８  押え部
４２  固定部
４４  長孔部
４６  取付部
５０  受け部
５６  基体部
５８  係止部
６０  連結部
６８  係止凸部
【図１】
0005759205.tif 000002
【図２】
0005759205.tif 000003
【図３】
0005759205.tif 000004
【図４】
0005759205.tif 000005
【図５】
0005759205.tif 000006
【図６】
0005759205.tif 000007
【図７】
0005759205.tif 000008
【図８】
0005759205.tif 000009
【図９】
0005759205.tif 000010
【図１０】
0005759205.tif 000011
【図１１】
0005759205.tif 000012
【図１２】
0005759205.tif 000013